(57)【要約】【課題】  消費者によるパック内容物の容易な取出しを可能にし、及び／又は従来の機械で容易に製造可能な改良された取出し開口部を考慮して、たばこ用のソフトパックを更に発展させること。【解決手段】  パック内容物としてのたばこ群５０のための、折畳み可能なパック材料で構成された内側被覆１１を備えたたばこ用のソフトパックであって、内側被覆１１がパック内容物を全ての側において少なくとも基本的に包囲し、この内側被覆１１が、折畳み可能なパック材料で構成された外側被覆１２によって包囲されている前記ソフトパックにおいて、外側被覆１２に、内側被覆１１の前側の範囲においてパック内容物をつかむための縁部側の凹部を設け、該凹部の範囲において、貼着ラベルを、凹部の解除可能な閉鎖のためにソフトパックに配置した。
2013536129.tif 000002
【特許請求の範囲】
【請求項１】
パック内容物としてのたばこ群（５０）のための、折畳み可能なパック材料で構成された内側被覆（１１）を備えたたばこ用のソフトパックであって、前記内側被覆（１１）がパック内容物を全ての側において少なくとも基本的に包囲し、前記内側被覆（１１）が、それぞれ大きな平面の前側（１７）及び後側（１９）と、これら前側（１７）と後側（１９）を互いに接続する幅狭側（１８）と、底側（２１）と、上側（２０）とを備えており、これら前側及び後側と、幅狭側と、底側と、上側とが、本質的に平行六面体状のパック内容物の対応する側面に沿って延在し、前記内側被覆（１１）が、前記前側（１７）、前記後側（１９）、前記幅狭側（１８）及び前記底側（２１）の範囲において、折畳み可能なパック材料で構成された外側被覆（１２）によって包囲されている、前記ソフトパックにおいて、
前記外側被覆（１２）に、前記内側被覆（１１）の前記前側（１７）の範囲において前記パック内容物をつかむための縁部側の凹部（３８）を設け、該凹部（３８）の範囲において、貼着ラベル（１３）を、前記凹部（３８）の解除可能な閉鎖のために当該ソフトパックに配置したことを特徴とするソフトパック。
【請求項２】
前記凹部（３８）を、前記外側被覆（１２）に形成するか、又は前記外側被覆（１２）の領域（４８）における予定破断部（４７）によって画成し、これにより、前記領域（４８）を、前記凹部（３８）の形成のために前記予定破断部（４８）に沿って前記外側被覆（１２）から分離することができるよう構成したことを特徴とする請求項１記載のソフトパック。
【請求項３】
前記内側被覆（１１）が、その上側（２０）の範囲及びこの内側被覆（１１）の前記凹部（３８）の範囲において、予定破断部（２８）によって画成される領域（２７）を備え、該領域が、前記パック内容物をつかむために、前記予定破断部（２８）に沿って前記内側被覆（１１）から分離可能であり、前記貼着ラベル（１３）を、前記領域（２７）においても当該貼着ラベル（１３）によって解除可能に閉鎖可能に当該ソフトパック（１０）に配置したことを特徴とする請求項１又は２記載のソフトパック。
【請求項４】
前記貼着ラベル（１３）を、前記領域（２７）が前記貼着ラベル（１３）の最初の開放によって取出し開口部（１４）を形成するために前記内側被覆（１１）から分離されるよう、好ましくは接着によって、前記予定破断部（２８）によって画成された前記内側被覆（１１）の前記領域（２７）に結合させたことを特徴とする請求項１〜３のいずれか１項に記載のソフトパック。
【請求項５】
前記貼着ラベル（１３）を、前記領域（４８）が前記貼着ラベル（１３）の最初の開放によって前記外側被覆（１２）から分離されるよう、好ましくは接着によって、前記予定破断部（４７）によって画成された前記外側被覆（１２）の前記領域（４８）に結合させ、前記外側被覆（１２）の領域（４８）を、前記両領域（２７，４８）が共に前記貼着ラベル（１３）の最初の開放によって取出し開口部（１４）を形成するために当該ソフトパック（１０）から分離されるよう、好ましくは接着によって、前記予定破断部（４７）によって画成された前記外側被覆（１２）の領域（４８）に結合させたことを特徴とする請求項１〜４のいずれか１項に記載のソフトパック。
【請求項６】
前記内側被覆（１１）の上側（２０）を、縁部側で、前記前側（１７）、前記後側（１９）及び幅狭側（１８）において形成された折畳みフラップ部（２２）によって、すなわち該折畳みフラップ部（２２）の前記上側（２０）への折畳みによって形成し、前記折畳みフラップ部（２２）を、少なくとも該折畳みフラップ部（２２）が前記内側被覆（１１）の前記前側（１７）及び前記後側（１９）において、前記上側（２０）の範囲で互いにわずかに重なり合うか、又は重なり合わないようなサイズとしたことを特徴とする請求項１〜５のいずれか１項に記載のソフトパック。
【請求項７】
前記内側被覆（１１）から分離される前記領域（２７）の画成のための前記予定破断部（２８）を、前記内側被覆（１１）の前記前側（１７）から前記内側被覆（１１）の前記上側（２０）における前記折畳みフラップ部（２２）の縁部まで延在させたことを特徴とする請求項１〜６のいずれか１項に記載のソフトパック。
【請求項８】
前記予定破断部（２８）によって画成された前記内側被覆（１１）の前記前側（１７）の前記領域（２７）のサイズを、前記外側被覆（１２）における前記凹部（３８）が縁部側で前記内側被覆（１１）によって覆われるよう、前記外側被覆（１２）の範囲における前記凹部（３８）よりも小さく設定し、好ましくは、前記外側被覆（１２）における前記凹部（３８）と前記内側被覆（１１）の前記前側（１７）における前記領域（２７）とが本質的に同様の形状を備えるよう構成したことを特徴とする請求項１〜７のいずれか１項に記載のソフトパック。
【請求項９】
前記貼着ラベル（１３）を、当該ソフトパック（１０）の後側からその上側を介して当該ソフトパック（１０）の前側の領域まで延在させるとともに、前記貼着ラベル（１３）を、好ましくは本質的に前記上側の全幅にわたって延在させたことを特徴とする請求項１〜８のいずれか１項に記載のソフトパック。
【請求項１０】
特に制御マークとしての実施における飾り帯（１５）を、該飾り帯（１５）が前記貼着ラベル（１３）の最初の開放時に、特に当該ソフトパック（１０）のパック縁部に沿って延びる前記飾り帯（１５）の予定破断部（４５）に沿って分離されるよう、前記貼着ラベル（１３）による部分的な被覆を伴いつつ当該ソフトパック（１０）に配置し、前記飾り帯（１５）を、好ましくは当該ソフトパック（１０）の幅狭側の範囲において配置するとともに、当該ソフトパック（１０）の上側又は前側の範囲において延在させ、そこで前記貼着ラベル（１３）を覆うよう構成し、前記予定破断部（４５）を、前記幅狭側と当該ソフトパック（１０）の上側又は前側との間の前記パック縁部の範囲において配置したことを特徴とする請求項１〜９のいずれか１項に記載のソフトパック。
【請求項１１】
前記外側被覆（１２）を、前記底側（３４）の範囲において互いに重なり合う折畳みフラップ部によって形成し、この折畳みフラップ部を、前記外側被覆（１２）の前記前側（３０）、前記後側（３２）及び前記幅狭側（３１）の延長部へ配置し、前記折畳み部フラップ部を、前記外側被覆（１２）の材料における分離部（３５）によって互いに分離し、前記前側（３０）及び／又は前記後側（３２）の延長部における折畳みフラップ部（３７）を前記底側（３４）のサイズに本質的に対応させ、前記折畳みフラップ部の折畳み部を前記底側（３４）の外側箇所として配置したことを特徴とする請求項１〜１０のいずれか１項に記載のソフトパック。
【請求項１２】
前記外側被覆（１２）を、前記底側（３４）の範囲において互いに重なり合った折畳みフラップ部で形成し、この折畳みフラップ部を、前記外側被覆（１２）の前記前側（３０）、前記後側（３２）及び前記幅狭側（３１）の延長部へ配置し、前記折畳みフラップ部を、折畳み線（２６）によって互いに画成し、前記前側（３０）又は前記後側（３２）の延長部における１つの折畳みフラップ部（３７）のみを前記外側被覆（１２）の材料における分離部（３５）によって隣接する折畳みフラップ部から分離し、前記前側（３０）又は前記後側（３２）の延長部における前記折畳みフラップ部を、前記分離部（３５）によって画成された前記折畳みフラップ部（３７）が前記底側（３４）の外側箇所として配置されるとともに本質的に前記底側（３４）全体にわたって延在するよう、前記底側（３４）の面へ折り畳み、これに対して、他の折畳みフラップ部を、封筒状の折畳みによって前記底側（３４）の範囲へ折り畳んだことを特徴とする請求項１〜１１のいずれか１項に記載のソフトパック。
【請求項１３】
たばこ用のソフトパック（１０）の製造方法であって、折り畳み可能なパック材料で構成された内側被覆（１１）がパック内容物としてのたばこ群（５０）の周囲に巻かれ、その後、前記内側被覆（１１）が、前側（１７）、後側（１９）、幅狭側（１８）及び底側（２１）の範囲において折り畳み可能なパック材料で構成された外側被覆（１２）へくるまれる前記製造方法において、
前記外側被覆（１２）を、先行する材料連続体（４６）として、これに形成された、前記内側被覆（１１）の前側（３０）の範囲における縁側の凹部（３８）を形成するための領域の画成のための予定破断部（４７）と共に供給し、前記先行する材料連続体（４６）を、前記領域（４８）あるいは前記凹部（３８）が前記ソフトパック（１０）の前記内側被覆（１１）の前側（１７）の範囲において配置されるよう個々の裁断部に分割し、貼着ラベル（１３）を、前記凹部（３８）の解除可能な閉鎖のために前記ソフトパック（１０）に配置し、前記貼着ラベル（１３）を、前記領域（４８）が該貼着ラベル（１３）の最初の開放により前記外側被覆（１２）から分離されるよう、前記予定破断部（４７）によって画成された前記領域（４８）において前記外側被覆（１２）の材料に結合させることを特徴とする製造方法。
【請求項１４】
前記内側被覆（１１）にも予定破断部（２８）によって画成された領域（２７）を設け、該領域を、取出し開口部（１４）を形成するために、両領域（２７，４８）が共に前記貼着ラベル（１３）の最初の開放によって前記ソフトパック（１０）から分離されるよう、前記外側被覆（１２）の前記領域（４８）に結合させることを特徴とする請求項１３記載の製造方法。
【発明の詳細な説明】
【技術分野】
【０００１】
本発明は、パック内容物としてのたばこ群のための、折畳み可能なパック材料で構成された内側被覆を備えたたばこ用のソフトパックであって、前記内側被覆がパック内容物を全ての側において少なくとも基本的に包囲し、前記内側被覆が、それぞれ大きな平面の前側及び後側と、これら前側と後側を互いに接続する幅狭側と、底側と、上側とを備えており、これら前側及び後側と、幅狭側と、底側と、上側とが、本質的に平行六面体状のパック内容物の対応する側面に沿って延在し、前記内側被覆が、前記前側、前記後側、前記幅狭側及び前記底側の範囲において、折畳み可能なパック材料で構成された外側被覆によって包囲されている、請求項１の前提部分に基づく前記ソフトパックに関するものである。さらに、本発明は、請求項１３に基づく、このようなソフトパックの製造方法に関するものでもある。
【背景技術】
【０００２】
たばこ用のソフトパックは、特にヒンジぶた式のハードパック以外に、広く知られたパックタイプである。ハードパックの場合のように、通常はたばこ群であるパック内容物は、例えばアルミ箔のようなパック材料から成る内側被覆によって包囲されている。この内側被覆は外部被覆によって覆われており、この外部被覆は、ハードパックのように強固なパック材料から成るわけではなく、柔軟なパック材料から成っている。
【０００３】
ソフトパックの構造で制限された低い形状安定性の他に、パック内容部への到達のための取出し開口部が付着してしまうという欠点がある。一方では、ソフトパックの取出し開口部は通常非常に小さく採寸されており、そのため、消費者のためのパック内容物への到達が困難となっている。他方では、取出し開口部の製造にはコストがかかってしまう。
【発明の概要】
【発明が解決しようとする課題】
【０００４】
本発明は上記問題に鑑みてなされたもので、その目的とするところは、特に、消費者によるパック内容物の容易な取出しを可能にし、及び／又は従来の機械で容易に製造可能な改良された取出し開口部を考慮して、たばこ用のソフトパックを更に発展させることにある。
【課題を解決するための手段】
【０００５】
上記目的を達成するため、本発明によるソフトパックは、請求項１の特徴を備えている。これによれば、前記外側被覆に、前記内側被覆の前記前側の範囲において前記パック内容物をつかむための縁部側の凹部を設け、該凹部の範囲において、貼着ラベルを、前記凹部の解除可能な閉鎖のために当該ソフトパックに配置している。この解決手段によれば、外側被覆における凹部によって取出し開口部が拡大され、貼着ラベルにより、ソフトパックの再度の閉鎖が可能となる。
【０００６】
本発明の好ましい実施形態においては、前記凹部を、前記外側被覆に形成するか、又は前記外側被覆の領域における予定破断部によって画成し、これにより、前記領域を、前記凹部の形成のために前記予定破断部に沿って前記外側被覆から分離することができるよう構成している。第１の場合には、凹部を例えば外側被覆のための個々の裁断部への打抜きによって形成することができ、この裁断部は、スタック、マガジン等によって加工される。第２の場合には、外側被覆は、先行する材料連続体として、例えばボビンによって加工されることができるとともに、必要な予定破断部を備えることもできる。そして、凹部は、ソフトパックの開放時に初めて形成される。
【０００７】
さらに、好ましくは、前記内側被覆が、その上側の範囲及びこの内側被覆の前記凹部の範囲において、予定破断部によって画成される（関連した）領域を備え、該領域が、前記パック内容物をつかむために、前記予定破断部に沿って前記内側被覆から分離可能であり、前記貼着ラベルを、前記領域においても当該貼着ラベルによって解除可能に閉鎖可能に当該ソフトパックに配置するようになっている。これにより、外側被覆及び内側被覆における領域によって、ソフトパックにしては比較的大きな取出し開口部を得ることができる。
【０００８】
また、特に好ましくは、前記貼着ラベルを、前記領域が前記貼着ラベルの最初の開放によって取出し開口部を形成するために前記内側被覆から分離されるよう、好ましくは接着によって、前記予定破断部によって画成された前記内側被覆の前記領域に結合させている。
【０００９】
外側被覆における凹部が予定破断部によって画成されている場合には、前記貼着ラベルを、前記領域が前記貼着ラベルの最初の開放によって前記外側被覆から分離されるよう、好ましくは接着によって、前記予定破断部によって画成された前記外側被覆の前記領域に結合させ、前記外側被覆の領域を、前記両領域が共に前記貼着ラベルの最初の開放によって取出し開口部を形成するために当該ソフトパックから分離されるよう、好ましくは接着によって、前記予定破断部によって画成された前記外側被覆の領域に結合させることが考えられる。これにより、両領域が共にソフトパックの最初の開放時に離間されるという利点が得られる。
【００１０】
また、他の特徴は、前記内側被覆の上側を、縁部側で、前記前側、前記後側及び幅狭側において形成された折畳みフラップ部によって、すなわち該折畳みフラップ部の前記上側への折畳みによって形成し、前記折畳みフラップ部を、少なくとも該折畳みフラップ部が前記内側被覆の前記前側及び前記後側において、前記上側の範囲で互いにわずかに重なり合うか、又は重なり合わないようなサイズとしたことにある。好ましくは、この折畳みフラップ部は、互いにわずかな間隔をもって互いに終わっている（特に数ミリあるいは１ｍｍ）。これにより、取出し開口部を、内側被覆の上側の範囲において比較的大きく形成することが可能である。また、前記内側被覆から分離される前記領域２７の画成のための前記予定破断部を、前記内側被覆の前記前側から前記内側被覆の前記上側における前記折畳みフラップ部の縁部まで延在させるのが好ましい。これにより、取出し開口部としての比較的大きな関連した領域を得ることが可能である。
【００１１】
本発明の好ましい実施形態は、前記予定破断部によって画成された前記内側被覆の前記前側の前記領域のサイズを、前記外側被覆における前記凹部が縁部側で前記内側被覆によって覆われるよう、前記外側被覆の範囲における前記凹部よりも小さく設定し、好ましくは、前記外側被覆における前記凹部と前記内側被覆の前記前側における前記領域とが本質的に同様の形状を備えるよう構成したことを特徴としている。これにより、ソフトパックの製造時における誤差を相殺することができる。
【００１２】
他の特徴は、貼着ラベルの配置に関連している。前記貼着ラベルを、好ましくは本質的に前記上側の全幅にわたって延在させるのが好ましい。これにより、貼着ラベルの範囲においてソフトパックの上側全体を印刷することが可能である。また、前記貼着ラベルを、ソフトパックの後側からその上側を介してソフトパック）の前側の領域まで延在させるのが好ましい。
【００１３】
また、他の特徴は、飾り帯を、該飾り帯が前記貼着ラベルの最初の開放時に、特にソフトパックのパック縁部に沿って延びる前記飾り帯の予定破断部に沿って分離されるよう、前記貼着ラベルによる部分的な被覆を伴いつつソフトパックに配置し、前記飾り帯を、好ましくは当該ソフトパックの幅狭側の範囲において配置するとともに、ソフトパックの上側又は前側の範囲において延在させ、そこで前記貼着ラベルを覆うよう構成し、前記予定破断部を、前記幅狭側と当該ソフトパックの上側又は前側との間の前記パック縁部の範囲において配置したことに関している。
【００１４】
さらに、外側被覆の底壁部の構造における特徴も存在する。すなわち、前記外側被覆を、前記底側の範囲において互いに重なり合う折畳みフラップ部によって形成し、この折畳みフラップ部を、前記外側被覆の前記前側、前記後側及び前記幅狭側の延長部へ配置し、前記折畳み部フラップ部を、前記外側被覆の材料における分離部によって互いに分離し、前記前側及び／又は前記後側の延長部における折畳みフラップ部を前記底側のサイズに本質的に対応させ、前記折畳みフラップ部の折畳み部を前記底側の外側箇所として配置している。これにより、ソフトパックの下側全体を印刷することができる。このような目的の達成の他の手段は、前記外側被覆を、前記底側の範囲において互いに重なり合った折畳みフラップ部で形成し、この折畳みフラップ部を、前記外側被覆の前記前側、前記後側及び前記幅狭側の延長部へ配置し、前記折畳みフラップ部を、折畳み線によって互いに画成し、前記前側又は前記後側の１つの折畳みフラップ部のみを前記外側被覆の材料における分離部によって隣接する折畳みフラップ部から分離し、前記折畳みフラップ部を、前記分離部によって画成された前記折畳みフラップ部）が前記底側の外側箇所として配置されるとともに本質的に前記底側全体にわたって延在するよう、前記底側の面へ折り畳み、これに対して、他の折畳みフラップ部を、封筒状の折畳みによって前記底側の範囲へ折り畳むことである。
【００１５】
たばこ用のソフトパックの本発明による製造方法は、請求項１の特徴を備えている。これによれば、前記外側被覆を、先行する材料連続体として、これに形成された、前記内側被覆の前側の範囲における縁側の凹部を形成するための領域の画成のための予定破断部と共に供給し、前記先行する材料連続体を、前記領域あるいは前記凹部が前記ソフトパックの前記内側被覆の前側の範囲において配置されるよう個々の裁断部に分割し、貼着ラベルを、前記凹部の解除可能な閉鎖のために前記ソフトパックに配置し、前記貼着ラベルを、前記領域が該貼着ラベルの最初の開放により前記外側被覆から分離されるよう、前記予定破断部によって画成された前記領域において前記外側被覆の材料に結合させるようにしている。
【００１６】
好ましくは、前記内側被覆にも予定破断部によって画成された領域を設け、該領域を、取出し開口部を形成するために、両領域が共に前記貼着ラベルの最初の開放によって前記ソフトパックから分離されるよう、前記外側被覆の前記領域に結合させるようにしている。
【００１７】
本発明の他の特徴は、各従属請求項、本明細書の他の部分及び図面に記載されている。
【発明の効果】
【００１８】
本発明によれば、消費者によるパック内容物の容易な取出しを可能にし、及び／又は従来の機械で容易に製造可能な改良された取出し開口部を考慮して、たばこ用のソフトパックを更に発展させることが可能である。
【図面の簡単な説明】
【００１９】
【図１ａ】ソフトパックのための飾り帯を示す斜視図である。
【図１】ソフトパックのための貼着ラベルを示す斜視図である。
【図２】ソフトパックのための内側被覆を備えたたばこ群を示す斜視図である。
【図３】ソフトパックのための外側被覆を示す斜視図である。
【図４】図１ａ〜図３に基づく要素を備えた、第１の閉鎖されたソフトパックを示す図である。
【図５】図４に基づく第１の開放されたソフトパックを示す図である。
【図６】図２に基づく内側被覆のための展開された裁断部を示す図である。
【図７】図３に基づく外側被覆のための展開された裁断部を示す図である。
【図８】ソフトパックのための第２の飾り帯を示す斜視図である。
【図９】ソフトパックのための内側被覆を備えた第２のたばこ群を示す図である。
【図１０】ソフトパックのための第２の外側被覆を示す斜視図である。
【図１１】図８〜図１０に基づく要素を備えた、第２の閉鎖されたソフトパックを示す図である。
【図１２】図１１に基づく第２の開放されたソフトパックを示す図である。
【図１３】図１０に基づく外側被覆のための展開された裁断部を示す図である。
【図１４】図４における矢印ＸＩＶ方向から見たソフトパックの底壁部を示す図である。
【図１５】図１１における矢印ＸＶ方向から見たソフトパックの底壁部を示す図である。
【図１６】図４における切断線ＸＶＩ−ＸＶＩに沿った第１のソフトパックの部分的な垂直方向断面図である。
【図１７】図１１における切断線ＸＶＩＩ−ＸＶＩＩに沿った第２のソフトパックの部分的な垂直方向断面図である。
【図１８】図４に示すパックの変型を示す図である。
【発明を実施するための形態】
【００２０】
以下に、本発明の２つの好ましい実施例を添付図面に基づいて説明する。
【００２１】
図には、たばこのためのソフトパック１０の２つの実施例が示されている。共に共通しているのは、パック内容物としての好ましくは平行六面体状のたばこ群５０と、このたばこ群を包囲する内側被覆１１とを備えた基本的な構造である。また、内側被覆１１は、更に外部被覆１２によって包囲されている。上側には貼着ラベル１３が設けられており、この貼着ラベル１３によって、ソフトパック１０の取出し開口部１４が閉鎖可能となっている。さらに、（制御）飾り帯１５も設けられている。
【００２２】
内側被覆１１は対応する裁断部１６の折畳みによって形成される。ここで、この裁断部１６は、例えばアルミ箔、フィルムなどのような折り畳み可能なパック材料で構成されている。この裁断部１６は、横方向への巻き部材として形成されているとともに、中心の前面部１７及びこれに接続する側方の２つの幅狭部１８を備えている。さらに、側方には、後側１９のための部分がこれに接続している。
【００２３】
裁断部１６は、側部１７〜１９がパック内容物の対応する側面において延在するようパック内容物に巻き付けられている。このとき、後側１９に対する両部分は、パック内容物の対応する側面（後側）の範囲において互いに重なり合っている。
【００２４】
上記側部１７〜１９の上方及び下方において、裁断部１６は、内側被覆１１の上側２０及び底側２１を形成するための折畳みフラップ部を備えている。ここで、折畳みフラップ部２２は、上側２０の形成のために、封筒状に折り畳まれる。これに対応して、折畳みフラップ部２３も底側２１の形成のために同様に行われる。
【００２５】
裁断部１６の範囲は、長手折畳み線２４及び垂直折畳み線２５によって互いに分離されている。また、上側２０及び底側２１の封筒状の折畳み部の範囲においては、裁断部１６が更に斜め折畳み線２６を備えている。
【００２６】
内側被覆１１の特徴は、図２〜図６から直接見ることができる。底側２１の形成のための折畳みフラップ部２３は、上側２０の形成のための折畳みフラップ部２２よりも長い長さを有している。これにより、特に前側１７及び後側１９の延長部における折畳みフラップ部２３について、底側２１の範囲には折畳みフラップ部２３の通常の重ね合わせがなされる。しかしながら、折り畳みフラップ部２２は、前側１７及び後側１９の延長部において重ね合わせがされないようにより短く採寸されている。その代わりに、その自由縁部は、互いに間隔をもって終わっている。この間隔は、好ましくは約１ｍｍである。
【００２７】
上側２０の範囲における折畳みフラップ部２２の重ね合わせがなされないことは、内側被覆１１の開口部の形成に関して意味がある。これについて、前側１７の上縁部近傍及び区画された折畳み部２２における領域２７は、予定破断部２８によって画成されている。この予定破断部２８を、例えばミシン目とすることが考えられる。領域２７を予定破断部２８に沿って分離することで、対応する開口部が内側被覆１１に取出し開口部１４の一部として形成され得る。この開口部は、前側１７から貫通しつつこの前側１７の延長部における折畳みフラップ部２２の上縁部まで延在している。
【００２８】
重要なのは、領域２７がソフトパックの通常の取出し開口部よりもはるかに大きな幅を有していることである。特に、領域２７の幅は、内側被覆１１の前側１７のほぼ半分の幅に相当する。なお、この幅は、このサイズよりも大きくても、小さくてもよい。
【００２９】
上側２０の形成のための折畳みフラップ部２２のサイズが長くなるほど、その重なり部の封筒状の折畳み部も大きくなる。この重なり部により、内側被覆１１における開口部の大きさが制限される。また、予定破断部２８が前面部１７の延長部における折畳みフラップ部２２の範囲にのみ配置されているとともに後側１９の延長部における折畳みフラップ部２２まで延在していないため、折畳みフラップ部２２が短くなるほど内側被覆１１における開口部が大きくなる。
【００３０】
内側被覆１１を、折畳みフラップ部２２が前側１７及び後側１９の延長部において覆うように形成することが可能である。この場合、内側被覆１１における開口部の大きさのみがいくらか、すなわち後側１９の延長部における折畳みフラップ部２２によって小さくなる。
【００３１】
外側被覆１２は、同様に、例えば紙である折畳み可能なパック材料から成る裁断部２９で構成されているとともに、印刷部を備えることができる。この裁断部２９も、横方向への巻き部材として形成されており、比較的大きな面を有する前側３０、これに両側で接する幅狭側３１及びこの幅狭側３１で画成された後側３２を備えている。この後側３２には折畳みフラップ部３３が接続されており、この折畳みフラップ部３３は、外側の幅狭側３１に結合されている。裁断部２９の各範囲は、ここでも長手折畳み線２４及び垂直折畳み線２５によって互いに分離されている。
【００３２】
外側被覆１２の底側３４を形成するために、前側３０、幅狭側３１、後側３２及び裁断部２９の対応する長手縁部における折畳みフラップ部３３の延長部には、複数の折畳みフラップ部が形成されており、これら折畳みフラップ部は、分離部３５において互いに分離されている。これら折畳みフラップ部は、幅狭側３１及び折畳みフラップ部３３の延長部におけるコーナー折畳み部３６並びに前側３０及び後側３２の延長部における長手折畳みフラップ部３７である。この長手折畳みフラップ部３７は、外側被覆１２の底側３４に基本的に対応するサイズを有している。
【００３３】
裁断部２９の他の長手縁部には、折畳みフラップ部が配置されていない。これに応じて、外側被覆１２は、上側２０の範囲においては内側被覆１１を覆っていない。
【００３４】
外側被覆１２のための裁断部２９は前側３０の上縁部の範囲において凹部３８を備えており、この凹部は、内側被覆１１の前側１７における領域２７に対応して形成されている。しかしながら、この凹部３８は、前側１７における領域２７よりもわずかに大きなサイズを有している。この凹部３８は、同様に、外側被覆１２における取出し開口部１４の一部を形成している。凹部３８のサイズが内側被覆１１の前側１７における領域２７よりもわずかに大きいことにより、凹部３８の自由縁部が後側において内側被覆１１の材料によてわずかに覆われている。
【００３５】
凹部３８は、弓形の輪郭を有しているとともに本質的にＵ字状に形成されており、また、裁断部２９の自由縁部へ向けて配置されている。
【００３６】
外側被覆１２のための裁断部２９は、あらかじめ加工された個々の裁断部２９として、裁断部から成る当該スタックのためのスタック又はマガジンから取り出されるか、又は加工されることが可能である。
【００３７】
ところで、貼着ラベル１３は、取出し開口部１４を閉鎖する役割を果たすものである。この目的のために、この貼着ラベル１３は、取出し開口部１４を覆うようにソフトパックの複数の側面に配置されている。この貼着ラベル１３は、パック材料で構成されているとともに、内側で、すなわちソフトパック１０へ向いた側において、ソフトパック１０を繰り返し開閉できるよう接着剤を塗布されている。
【００３８】
本実施例においては、貼着ラベル１３が第１の脚部３９と共に外側被覆１２の後側３２の範囲に配置あるいは固定されている。これには、第２の脚部４０がソフトパック１０の上側の範囲に接続されている。また、これに接続された第３の脚部４１が外側被覆１２の前側３０の範囲で延在している。さらに、これに接続された第４の脚部４２は、貼着ラベル１３を把持するための把持片として機能するとともに、これに対応して接着剤を塗布されている。
【００３９】
貼着ラベル１３の幅に関して特徴が存在する。すなわち、貼着ラベル１３の幅は、ソフトパック１０の幅にほぼ相当する。これにより、ソフトパック１０の上側の範囲には、追加的な印刷面が形成される。貼着ラベルの幅は、約２〜６ｍｍで、ソフトパックよりも狭い必要がある。
【００４０】
他の特徴は、貼着ラベル１３の脚部４１が内側被覆１１の領域２７に継続的に結合されることにある。これにより、領域２７は、最初の貼着ラベル１３の開放時に、内側被覆１１からはがれ、取出し開口部１４が解放される。さらに、内側被覆の後側１９の延長部において折畳みフラップ部２２が貼着ラベル１３に結合されており、そのため、この折畳みフラップ部は、ソフトパック１０の開放時（図５参照）に持ち上げられることになる。これにより、比較的大きな取出し開口部１４が形成される。
【００４１】
飾り帯１５（図１ａ参照）は、好ましくは外側被覆１２の幅狭側３１の範囲及びソフトパック１０の上側の範囲における貼着ラベル１３上に配置されることが考えられる。好ましくは、この飾り帯１５は、そこで接着により固定されるとともに、側面の数に合わせて、これら側面に沿って延在する、対応する数の脚部４３，４４を備えている。図４に示された配置においては、脚部４３，４４は、ソフトパック１０の縁部を介して延在している。これら両脚部４３，４４の間には予定破断部４５が飾り帯１５のパック材料において設けられており、この予定破断部は、貼着ラベル１３の最初の開放時に切断される。
【００４２】
これに代えて、飾り帯１５は、幅狭側３１及びソフトパック１０の画成された前側の範囲に配置されてもよい（図４）。これにより、ソフトパック１０が幅狭側３１のわずかな幅を備えている場合には特に興味深い。
【００４３】
図８〜図１３、図１５及び図１７に示された第２の実施例については、以下において第１の実施例と比較しつつ説明する。
【００４４】
繰り返しを防ぐため、ここでは、第１の実施例と異なる事項についてのみ説明する。
【００４５】
第１の差異は、外側被覆１２における凹部３８にある。外側被覆のための個々の裁断部２９を使用する代わりに、この外側被覆１２は、先行する材料連続体４６から製造され、この材料連続体には、凹部３８のための予定破断部４７が形成されている。このために、不図示の印刷マークを材料連続体に付すことが可能であり、この印刷マークは、予定破断部４７の形成における制御あるいは向き調整に使用することができる。好ましくは、凹部３８の形成は、回転するカッターローラの対によって包装機械内で直接なされる。
【００４６】
他の差異は、底側３４の範囲における外側被覆１２の折畳みにある。図７と図１３の比較から分かるように、第２の実施例における底側３４の形成のための折畳みフラップ部は、側方で互いに結合されている。例外は、前側３０の延長部における長手折畳み部３７のみである。これに対して、この長手折畳み部は、両側で分離部３５によって他の折畳み部から分離されている。後側３２、幅狭側３１及び折畳みフラップ部３３の延長部におけるこの折畳み部は、斜め折畳み線２６によって互いに分離されている。
【００４７】
この構造により、図１５に示すような折畳みがなされ、この折畳みにおいては、後側３２の延長部における長手折畳みフラップ部３７及び隣接するコーナー折畳みフラップ部が封筒状に折り畳まれる。さらに、前側３０の延長部における長手折畳みフラップ部３７は横たえられ、この長手折畳みフラップ部のサイズは、基本的に底側３４のサイズに対応している。これにより、追加的な印刷面が外側被覆１２の底側３４の範囲に形成されることになる。
【００４８】
ソフトパック１０の最初の開放時に取出し開口部１４を形成するために、予定破断部４７によって画成された外側被覆１２の前側３０における領域４８の接着部が、予定破断部２８によって画成された内側被覆１１の前側１７の範囲における領域２７と共に設けられている。このことは、好ましくは、図示された接着点４９においてなされる。この場合、この接着点４９は複数の列及び段において互いに均等な間隔をもって配置されており、そのため、接着点４９は、基本的に結合面にわたって均一に延在する。接着点４９の位置には、当然他の結合手段を選択してもよい。
【００４９】
図示はなくとも、第２の実施例におけるソフトパック１０にも当然飾り帯１５を設けることができる。
【符号の説明】
【００５０】
１０            ソフトパック
１１            内側被覆
１２            外側被覆
１３            貼着ラベル
１４            取出し開口部
１５            飾り帯
１６            裁断部
１７            前側
１８            幅狭側
１９            後側
２０            上側
２１            底側
２２，２３      折畳みフラップ部
２４            長手折畳み線
２５            垂直折畳み線
２６            斜め折畳み線
２７            領域
２８            予定破断部
２９            裁断部
３０            前側
３１            幅狭側
３２            後側
３３            折畳みフラップ部
３４            底側
３５            分離部
３６            コーナー折畳み部
３７            長手折畳みフラップ部
３８            凹部
３９            第１の脚部
４０            第２の脚部
４１            第３の脚部
４２            第４の脚部
４３            脚部
４４            脚部
４５            予定破断部
４６            材料連続体
４７            予定破断部
４８            領域
４９            接着点
５０            たばこ群
【図１】
2013536129.tif 000003
【図１ａ】
2013536129.tif 000004
【図２】
2013536129.tif 000005
【図３】
2013536129.tif 000006
【図４】
2013536129.tif 000007
【図５】
2013536129.tif 000008
【図６】
2013536129.tif 000009
【図７】
2013536129.tif 000010
【図８】
2013536129.tif 000011
【図９】
2013536129.tif 000012
【図１０】
2013536129.tif 000013
【図１１】
2013536129.tif 000014
【図１２】
2013536129.tif 000015
【図１３】
2013536129.tif 000016
【図１４】
2013536129.tif 000017
【図１５】
2013536129.tif 000018
【図１６】
2013536129.tif 000019
【図１７】
2013536129.tif 000020
【図１８】
2013536129.tif 000021
【国際調査報告】
2013536129.tif 000022
2013536129.tif 000023
2013536129.tif 000024
2013536129.tif 000025